(57)【特許請求の範囲】
【請求項１】
上面が開口するボウル部と、このボウル部の外側に配設されるスカート部と、前記ボウル部及び前記スカート部の上側に配設されるリム部とを備える便器において、前記リム部は内周部と外周部とを備えて中実に形成され、前記外周部はその下面が前記ボウル部及び前記スカート部の上端に接合される接合部として形成され、前記内周部は前記接合部よりも下垂して形成され、前記内周部は前記ボウル部の上部の内周と隙間を介して前記内周に沿って配置されて成ることを特徴とする便器。
【請求項２】
前記隙間が３ｍｍ以上であることを特徴とする請求項１に記載の便器。
【請求項３】
前記ボウル部に設けた係止突起を係止するための係止凹部を前記スカート部に形成して成ることを特徴とする請求項１又は２に記載の便器。
【発明の詳細な説明】
【技術分野】
【０００１】
本発明は、水洗用便器などとして用いられる便器に関するものである。
【背景技術】
【０００２】
従来より、複数の便器形成部品を組み立てて便器を形成することが行われている（例えば、特許文献１参照）。このような便器１では、水平断面略Ｃ字状をしたスカート部３と、スカート部３内の上部に嵌め込んで接着一体化されたボウル部４と、更にボウル部４の上に嵌め込んでボウル部４の上端縁部及びスカート部３の上端縁部に接着一体化されたリム部５とで構成されている（図２参照）。これらスカート部３とボウル部４及びリム部５は合成樹脂製の便器形成部品Ｐとして形成されている。
【０００３】
図４にスカート部３とボウル部４及びリム部５の接合部分の一例を示す。ボウル部４の上端にはフランジ６が突設されている。また、リム部５は外側に向かって開口する断面略コ字状に形成されており、その下片５５ａはフランジ６の上面に溶着等により接着されている（図４におけるイ部分）と共にリム部５の上片５５ｂはスカート部３の上端に溶着等により接着されている（図４におけるロ部分）。
【特許文献１】特開２００６−３２８８２７号公報
【発明の開示】
【発明が解決しようとする課題】
【０００４】
しかし、上記のような従来例においては、リム部５は図４のイ部分とロ部分の二カ所でボウル部４とスカート部３とに接着されている。従って、リム部５の接着作業及び接着後のバリ取りなどの仕上げ作業は二カ所で必要であり、組み立てに手間がかかるという問題があった。
【０００５】
本発明は上記の点に鑑みてなされたものであり、組み立て作業を簡素化することができる便器を提供することを目的とするものである。
【課題を解決するための手段】
【０００６】
本発明に係る便器１は、上面が開口するボウル部４と、このボウル部４の外側に配設されるスカート部３と、前記ボウル部４及び前記スカート部３の上側に配設されるリム部５とを備える便器１において、前記リム部５は内周部１５と外周部１６とを備えて中実に形成され、前記外周部１６はその下面が前記ボウル部４及び前記スカート部３の上端に接合される接合部１８として形成され、前記内周部１５は前記接合部１８よりも下垂して形成され、前記内周部１５は前記ボウル部４の上部の内周と隙間１９を介して前記内周に沿って配置されて成ることを特徴とするものである。
本発明にあっては、前記隙間１９が３ｍｍ以上であることが好ましい。
【０００９】
本発明にあっては、前記ボウル部４に設けた係止突起４ａを係止するための係止凹部３ａを前記スカート部３に形成するのが好ましい。
【発明の効果】
【００１０】
本発明は、接合部１８の下面とボウル部４及びスカート部３の上端との一カ所の接合により、ボウル部４とスカート部３とリム部５とを接着一体化して組み立てることができ、また、バリ取りなどの仕上げ作業も上記接合箇所の一カ所で行うだけで良く、組み立て作業を簡素化することができるものである。
また、リム部５の内周部１５を接合部１８よりも下垂して形成し、リム部５の内周部１５をボウル部４の上部の内周に沿って配置することにより、接合部１８の下面とボウル部４の上端との接合部分をリム部５の内周部１５で覆うことができ、内側（ボウル部４側）から上記の接合部分が見えなくなって、接合部分のバリ取り等の仕上げ作業を省略しても外観低下を防止することができるものである。
さらに、リム部５を中実に形成することにより、リム部５の剛性を保つことができ、強度の大きい便器１を形成することができるものである。
また、ボウル部４の内面とリム部５の内周部１５との間に隙間１９を設けることにより、ボウル部４の内面とリム部５の内周部１５との間に水が溜まりにくくなって、カビが発生しにくくなるものである。特に、隙間１９の間隔が３ｍｍ以上の場合は、ボウル部４の内面とリム部５の内周部１５との間に水がより溜まりにくくなって、カビの発生を抑えることができるものである。
【００１３】
また、本発明では、係止突起４ａと係止凹部３ａとの係止によって、スカート部３でボウル部４を支えることができ、強度の大きい便器１を形成することができるものである。
【発明を実施するための最良の形態】
【００１４】
以下、本発明を実施するための最良の形態を説明する。
【００１５】
図２（ａ）（ｂ）に示す便器１は上記従来例と同様に、ボウル部４と、ボウル部４の外側面を覆うスカート部３と、ボウル部４及びスカート部３の上側に配設されるリム部５を備えたものである。ボウル部４とスカート部３とリム部５とはそれぞれ独立した合成樹脂製の便器形成部品Ｐとして形成することができ、これら便器形成部品Ｐを接着して一体化することにより便器１を組み立てることができる。便器形成部品Ｐを形成するための合成樹脂としては、アクリル樹脂や補強材入りＡＢＳ、ＰＢＴ等を例示することができる。
【００１６】
ボウル部４は上面が開口する椀状部１０の下部に後方に向けて排水筒部１１を一体に突出して形成されている。椀状部１０には段差部１２が上面開口よりもやや下側部分に周方向に亘って形成されており、段差部１２よりも上側部分は接続部１３として形成されている。この接続部１３の径は、段差部１２の下側部分の径よりも大きく形成されている。
【００１７】
スカート部３は、上側に向かう程、徐々に開口径が大きくなる勾配を有して水平断面略Ｃ字状に形成されている。
【００１８】
リム部５は平面視で略Ｃ字状の前部５ａと、前部５ａの後端間に一体的に連設される後部５ｂとから形成されている。前部５ａは内周部１５と外周部１６とで構成されており、外周部１６は内周部１５よりも厚みが薄くて内周部１５の外側に突出して形成されている。また、後部５ｂは断面略コ字状に形成されており、その上面には便座や便蓋を取り付けるための取付部１７が突設されている。そして、上記の外周部１６がボウル部４とスカート部３とに接合される接合部１８として形成されている。
【００１９】
上記３つの便器形成部品Ｐ、Ｐ…を接着一体化するには熱溶着や接着剤などを用いることができる。この場合、スカート部３の内側にボウル部４を嵌め込み、スカート部３の上端とボウル部４の上端とを位置合わせして揃えた状態で、スカート部３の上端部の内面とボウル部４の接続部１３の外面とを密着する。これにより、ボウル部４の前部から側部を覆うようにスカート部３が配設されている。また、図１に示すように、スカート部３の上端とボウル部４の上端とにわたるようにリム部５の前部５ａの接合部１８（外周部１６）を載置した状態で、スカート部３の上端とボウル部４の上端と接合部１８（外周部１６）の下面とを接着することができる。このようにしてリム部５を取り付けると、ボウル部４の上面開口の内側に沿って内周部１５が配置される。ここで、図１に示すように、ボウル部４の内面と内周部１５との間には、間隔ｔが３ｍｍ以上の隙間１９を設けるのが好ましい。間隔ｔが３ｍｍ未満であると、水の表面張力で隙間１９に水が溜まってカビが生えるおそれがある。また、リム部５の後部５ｂはボウル部４の後部の上端と接着する。
【００２０】
上記のように本発明では、接合部１８の下面とボウル部４及びスカート部３の上端との一カ所の接合により、ボウル部４とスカート部３とリム部５とを接着一体化して組み立てることができる。また、バリ取りなどの仕上げ作業も、外観を構成するリム部５とスカート部３の外側から見える部分のバリ取り作業のみの処理とすることができる。従って、従来と比較して、組み立て作業を簡素化することができるものである。また、リム部５の内周部１５は、接合部１８よりも下側に突出するように、接合部１８に下垂して設けられており、しかもリム部５の内周部１５をボウル部４の上部の接続部１３の内周に沿って配置するので、接合部１８の下面とボウル部４の上端との接合部分を内周部１５で覆うことができる。
【００２１】
また、本発明においては、従来例のリム部５のように断面略コ字状に形成して中空となるのではなく、リム部５の前部５ａを中実とするのが好ましい。これにより、リム部５の剛性を確保することができるものである。また、リム部５はサンドイッチ成形等により厚肉成形品（厚み５ｍｍ以上）とすることで、より高い剛性を確保することができるものである。
【００２２】
図３に他の実施の形態を示す。この便器１では、ボウル部４の接続部１３の上端に係止突起４ａが外側に向かって突出して形成されている。またスカート部３の上端の内面には係止凹部３ａが設けられている。そして、係止凹部３ａに係止突起４ａを内側から嵌め込んで係止することによって、ボウル部４とスカート部３とを結合している。その他の構成は上記と同様である。
【００２３】
この便器１では、係止突起４ａと係止凹部３ａとの係止によって、スカート部３でボウル部４を支えることができる。
【図面の簡単な説明】
【００２４】
【図１】本発明の実施の形態の一例を示す一部の断面図である。
【図２】同上の（ａ）は分解斜視図、（ｂ）は斜視図である。
【図３】同上の他の実施の形態の一例を示す一部の断面図である。
【図４】従来例を示す一部の断面図である。
【符号の説明】
【００２５】
１  便器
４  ボウル部
３  スカート部
５  リム部
１５  内周部
１６  外周部
１８  接合部
１９  隙間
４ａ  係止突起
３ａ  係止凹部
【図１】
0005166892.tif 000002
【図２】
0005166892.tif 000003
【図３】
0005166892.tif 000004
【図４】
0005166892.tif 000005